(57)【特許請求の範囲】
【請求項１】
少なくともビデオのストリームを含むデジタル放送ストリームを受信する受信部と、
前記受信部にて受信されたデジタル放送ストリームを記録媒体に記録する記録部と、
前記受信部にて受信されたデジタル放送ストリームを復号して特徴点の検出に必要な情報を生成する復号部と、
前記復号部の出力をもとに特徴的なシーンの時刻を前記特徴点として検出する特徴点検出部と、
前記特徴点検出部より検出された特徴点を記録して特徴点テーブルを作成する特徴点テーブル作成部と
を具備し、
前記特徴点検出部は、前記復号部の出力をもとに特徴的なシーンの時刻を特徴点として検出するとともに前記シーンの分類を検出し、
前記特徴点テーブル作成部は、
前記特徴点検出部より検出された前記特徴点と前記シーンの分類を対応付けて記録して特徴点テーブルを作成し、
前記特徴点テーブルに記録された分類の複数の変更候補の一覧を表示部に表示させ、当該複数の変更候補のうち特定の変更候補を選択するユーザの操作を操作部を介して受け付けることで、前記作成された特徴点テーブルの前記シーンの分類を変更する
放送受信録画装置。
【発明の詳細な説明】
【技術分野】
【０００１】
本発明は、デジタル放送ストリームを受信して記録媒体に録画する放送受信録画装置および放送受信録画方法に関するものである。
【背景技術】
【０００２】
近年、地上デジタルチューナ、ＢＳデジタルチューナなどにより受信したＭＰＥＧ２（Moving Picture Experts Group phase 2）のデジタル放送ストリームを、ＨＤＤやＤＶＤなどの記録媒体にそのまま記録（ダイレクト記録）し、再生時にはその記録媒体からデジタル放送ストリームを読み出して、復号、再生することのできる放送受信録画装置が普及している。
【０００３】
また、受信したデジタル放送ストリームの記録媒体へのダイレクト記録時に、たとえばコマーシャルの入り／終わり、タイトル画面、シーンチェンジ、ハイライト場面といった特徴的なシーンの位置（時刻）を特徴点として検出して記録しておき、再生時には、記録されている特徴点の情報をもとに、特徴的なシーンの位置（時刻）に対応するストリーム部分を記録媒体より読み出して復号、再生することのできる放送受信録画装置が提案されている。
【０００４】
この提案では、特徴的なシーンを検出するために、デジタル放送ストリームを記録媒体にダイレクト記録する際にそのデジタル放送ストリームを復号し、復号したビデオ信号およびオーディオ信号をもとにして特徴点の検出を行っている（たとえば特許文献１）。
【特許文献１】特開平１１−３１２３８１号公報
【発明の開示】
【発明が解決しようとする課題】
【０００５】
デジタル放送ストリームであるＭＰＥＧ２ストリームのヘッダの部分にはストリームの時刻を示すタイムスタンプが記述されている。記録媒体に記録されているデジタル放送ストリームから、特徴点であるシーンに対応する部分をアクセスするにはそのタイムスタンプが基準となる。しかしながら、特徴点検出器には復号されたビデオ信号およびオーディオ信号が入力として与えられるだけであるため、特徴点検出器はストリームの録画開始を基準とした時刻で特徴点の位置を示している。このため、特徴点の情報をもとに特徴的なシーンの位置に対応するデジタル放送ストリームの正しい部分を記録媒体から読み出してデコードし再生するためには、特徴点検出器によって検出された特徴的なシーンの位置（時刻）をデジタル放送ストリームのタイムスタンプに正しく変換する必要があり、そのための手法が求められていた。
【０００６】
また、デジタル放送ストリームは、図５に示すように、放送信号の選局の切り替え、放送の中断、通信環境の変動などにより、タイムスタンプの時間不連続が発生することが有り得る。このようなタイムスタンプの時間不連続によっても、特徴点検出器の時間軸と記録媒体に記録されたデジタル放送ストリームの時間軸との間にずれが生じるおそれがあった。すなわち、図５において特徴点検出器の時刻ｔ１はデジタル放送ストリームのＴ１の時刻に対応付けられなければならない。しかしながら、記録媒体に記録されているデジタル放送ストリームのＴ１のタイムスタンプは、デジタル放送ストリームの放送中断前後の２箇所に存在するため、特徴点に対応するタイプスタンプを一意に特定できないという問題があった。
【０００７】
本発明は、かかる実情に鑑み、特徴点検出部によって検出された特徴的なシーンの時刻を、記録媒体にダイレクト記録されたデジタル放送ストリーム上の時間に正しく変換することのできる放送受信録画装置および放送受信録画方法を提供しようとするものである。
【課題を解決するための手段】
【０００８】
上記の課題を解決するために、本発明の放送受信録画装置は、少なくともビデオのストリームを含むデジタル放送ストリームを受信する受信部と、受信部にて受信されたデジタル放送ストリームを記録媒体に記録する記録部と、受信部にて受信されたデジタル放送ストリームを復号して特徴点の検出に必要な情報を生成する復号部と、復号部の出力をもとに特徴的なシーンの時刻を前記特徴点として検出する特徴点検出部と、特徴点検出部より検出された特徴点を記録して特徴点テーブルを作成する特徴点テーブル作成部と、特徴点検出部による特徴点の検出開始時より一定の時間間隔でデジタル放送ストリームのタイムスタンプを取得し、この取得したタイムスタンプとデジタル放送ストリームの時間不連続点を境に区分される時間連続領域とを対応付けたタイムスタンプ変換テーブルを作成するタイムスタンプ変換テーブル作成部と、特徴点テーブルに登録されている特徴点を、タイムスタンプ変換テーブルを参照して、記録媒体に記録されているデジタル放送ストリーム上の時間軸に変換する変換部とを具備することを特徴とする。
【０００９】
この発明によれば、特徴点検出部によって検出された特徴的なシーンの時刻を、記録媒体にダイレクト記録されたデジタル放送ストリーム上の時間に正しく変換することができる。また、デジタル放送ストリームのタイムスタンプの時間不連続が発生しても、特徴点検出部によって検出された特徴的なシーンの時刻を、記録媒体にダイレクト記録されたデジタル放送ストリーム上の一の時刻に一意に特定することができる。
【００１０】
また、本発明において、記録部は、変換部の変換結果である特徴点テーブルを記録媒体に記録するものであってもよい。
【００１１】
これにより、デジタル放送ストリームとこれに対応する特徴点テーブルとを記録した記録媒体が得られる。この記録媒体を通じて、別の放送受信録画装置へデジタル放送ストリームと特徴点テーブルを伝送することができる。この場合、その放送受信録画装置にて改めて特徴点テーブルを作成しなくても、デジタル放送ストリームの特徴的なシーンへのジャンプ再生を行うことができる。
【００１２】
さらに、本発明において、特徴点検出部は、復号部の出力をもとに特徴的なシーンの時刻を特徴点として検出するとともに前記シーンの分類を検出し、特徴点テーブル作成部は、特徴点検出部より検出された特徴点とシーンの分類を対応付けて記録して特徴点テーブルを作成するものとしてもよい。
【００１３】
これによれば、選択されたシーンの分類に合致する特徴点の時刻情報を選択的に読み出して、デジタル放送ストリーム上の該当する部分を記録媒体から読み出し、再生するように制御を行うことが可能である。
【発明の効果】
【００１４】
本発明の放送受信録画装置および放送受信録画方法によれば、特徴点検出部によって検出された特徴的なシーンの時刻を、記録媒体にダイレクト記録されたデジタル放送ストリーム上の時間軸に正しく変換することができる。
【発明を実施するための最良の形態】
【００１５】
以下、本発明の実施の形態について図面を参照しながら説明する。
【００１６】
図１は本発明の一実施形態に係る放送受信録画装置の構成を示すブロック図である。
【００１７】
同図に示すように、この実施形態に係る放送受信録画装置１００は、チューナ１、復調器２、アンテナ３、再生系のデマルチプレクサ４、再生系のビデオデコーダ５、再生系のオーディオデコーダ６、特徴点検出系のデマルチプレクサ９、特徴点検出系のビデオデコーダ１０、特徴点検出系のオーディオデコーダ１１、特徴点検出器１２、操作部１３、ＨＤＤ１４（Hard Disk Drive）、ＤＶＤ（Digital Versatile Disc)ドライブ１５、フラッシュメモリ１６、ＲＯＭ１７（Read Only Memory）、ＲＡＭ１８（Random Access Memory）、ＣＰＵ１９（Central Processing Unit）、バス２０などを備えている。
【００１８】
チューナ１は、アンテナ３を通じてデジタル放送ストリームを受信するチューナであり、具体的には、ＢＳデジタル放送チューナ、地上波デジタル放送チューナなどである。
【００１９】
復調器２は、チューナ１で受信した、デジタル放送ストリームを復調する回路である。
【００２０】
再生系のデマルチプレクサ４は、復調器２より出力されたデジタル放送ストリームをビデオデジタル放送ストリームとオーディオデジタル放送ストリームとに分離して再生系のビデオデコーダ５および再生系のオーディオデコーダ６に出力する手段である。
【００２１】
再生系のビデオデコーダ５は、再生系のデマルチプレクサ４より入力されたビデオデジタル放送ストリームを復号してディスプレイ７に出力する手段である。
【００２２】
再生系のオーディオデコーダ６は、再生系のデマルチプレクサ４より入力されたオーディオデジタル放送ストリームを復号してスピーカ８に出力する手段である。
【００２３】
特徴点検出系のデマルチプレクサ９は、復調器２より出力されたデジタル放送ストリームをビデオデジタル放送ストリームとオーディオデジタル放送ストリームとに分離して特徴点検出系のビデオデコーダ１０および特徴点検出系のオーディオデコーダ１１に出力する手段である。
【００２４】
特徴点検出系のビデオデコーダ１０は、特徴点検出系のデマルチプレクサ９より入力されたビデオデジタル放送ストリームのＧＯＰ（Group Of Picture）の始点、ピクチャタイプ、長さなど、特徴点情報を作成するために必要な情報を復号して特徴点検出器１２に出力する手段である。
【００２５】
特徴点検出系のオーディオデコーダ１１は、特徴点検出系のデマルチプレクサ９より入力されたオーディオデジタル放送ストリームからオーディオフレームの始点など、特徴点情報を作成するために必要な情報を復号して特徴点検出器１２に出力する手段である。
【００２６】
特徴点検出器１２は、特徴点検出系のビデオデコーダ１０および特徴点検出系のオーディオデコーダ１１より入力された情報からコマーシャルの入り／終わり、タイトル画面、シーンチェンジ、ハイライト場面などの特徴的なシーンを特徴点として検出してその時刻を出力する回路である。特徴的なシーンを検出するための具体的な手法としては、たとえば、オーディオ情報や画面内の輝度成分などを基に、画像の１画面毎に特徴点を検出し、各画面間の特徴点の変化の大小を比較して特徴的なシーンを検出する方法などがある。
【００２７】
操作部１３は、ボタン、スイッチ、キー、操作確認用の表示器などで構成され、ユーザによる各種設定値や指令を入力してＣＰＵ１９へ出力する手段である。
【００２８】
ＨＤＤ１４は、復調器２より出力されたデジタル放送ストリームを固定ディスク（ハードディスク）に記録したり、再生時に読み出したりするドライブ装置である。
【００２９】
光学ドライブ１５は、復調器２より出力されたデジタル放送ストリームを、Ｂｌｕ−ｒａｙディスクやＤＶＤディスク（たとえばＤＶＤ−ＲＡＭ、ＤＶＤ−Ｒ、ＤＶＤ−ＲＷ、ＤＶＤ＋Ｒ、ＤＶＤ＋ＲＷなど）などの着脱自在な光学ディスク２１に記録したり、再生時に読み出したりするドライブ装置である。光学ドライブ１５の例として、Ｂｌｕ−ｒａｙドライブやＤＶＤドライブなどがある。
【００３０】
フラッシュメモリ１６は、復調器２より出力されたデジタル放送ストリームを記録可能な着脱自在な記録媒体である。
【００３１】
ＲＯＭ１７は、ＣＰＵ１９に実行させるプログラムや各種パラメータなどのファームウェアが固定的に記憶されているメモリである。
【００３２】
ＲＡＭ１８は、ＣＰＵ１９の作業用領域などとして用いられ、処理データを一時的に保持するメモリである。
【００３３】
ＣＰＵ１９は、ＲＯＭ１７に記憶されたファームウェアに基づいて各ブロックを統括的に制御したり、各種の演算処理を実行する装置である。
【００３４】
バス２０は各ブロック間での各種情報の入出力を行うための通信路である。
【００３５】
次に、この実施形態の放送受信録画装置１００においてデジタル放送ストリームを記録媒体に録画するときの動作を説明する。
【００３６】
チューナ１にてアンテナ３を通じて受信されたデジタル放送ストリームは、復調器２にて復調された後、ＣＰＵ１９による制御のもと、バス２０を通じてＨＤＤ１４あるいは光学ドライブ１５へ転送され、ＨＤＤ１４に、あるいは光学ドライブ１５に装着された光学ディスク２１などの記録媒体へそのまま記録（ダイレクト記録）される。
【００３７】
また、復調器２にて復調されたデジタル放送ストリームは、ＣＰＵ１９による制御のもと、特徴点検出系のデマルチプレクサ９へ出力され、ここで、ビデオデジタル放送ストリームとオーディオデジタル放送ストリームとに分離され、特徴点検出系のビデオデコーダ１０および特徴点検出系のオーディオデコーダ１１に出力される。
【００３８】
特徴点検出系のビデオデコーダ１０および特徴点検出系のオーディオデコーダ１１で得られた、特徴点情報を作成するために必要な復号信号は特徴点検出器１２へ出力され、この特徴点検出器１２において、コマーシャルの入り／終わり、タイトル画面、シーンチェンジ、ハイライト場面などの特徴的なシーンの位置を特徴点として検出する処理が開始される。この特徴点検出器１２に実装されたタイマーは、ＣＰＵ１９からデジタル放送ストリームの記録が開始されたことの通知を受けてタイムカウントを開始する独自の時間軸を持ったタイマーである。特徴点検出器１２は、検出された特徴的なシーンの位置に対応する時刻情報をタイマーより取得してＣＰＵ１９に通知することで、ＣＰＵ１９はこの時刻情報を受けてＲＡＭ１８などに記録する。以上の動作を繰り返すことによって、複数の特徴的なシーンの時刻情報の一覧を記録した特徴点テーブルを作成する。また、特徴点検出器１２は特徴点の検出を開始したときこの旨をＣＰＵ１９に通知する。
【００３９】
図２に特徴点テーブル２２の例を示す。同図に示すように、特徴点テーブル２２は、特徴点の時刻および特徴点の分類などの各項目で構成される。特徴点の時刻は、特徴点検出器１２により検出された特徴的なシーンの位置に対応する時刻情報である。特徴点の分類は、たとえばコマーシャルの入り／終わり、タイトル画面、シーンチェンジ、ハイライト場面などの特徴的なシーンの分類を表す情報である。この特徴点の分類は、特徴点検出器１２によって自動的に判別されて特徴点テーブル２２に記録されるが、一旦特徴点テーブル２２に記録した内容をユーザが操作部１３を操作することによって変更することも可能である。この際、特徴点の分類の候補の一覧を表示させ、ユーザがその中から適当な分類を選択して入力できるようにしてもよい。
【００４０】
ＣＰＵ１９は、特徴点検出器１２より特徴点の検出開始の通知を受け取ったタイミングを始点として、一定の時間間隔でデジタル放送ストリームのタイムスタンプを取得してたとえばＲＡＭ１８に記録することで、タイムスタンプ変換テーブルを作成する。
【００４１】
図３はタイムスタンプ変換テーブル３０とその作成に関する説明図である。
【００４２】
ＣＰＵ１９は、デジタル放送ストリームのヘッダに記述されているタイムスタンプを一定の時間間隔で取得し、取得したタイムスタンプとタイムシーケンスＩＤとを対応付けたタイムスタンプ変換テーブル３０を作成する。ここで、タイムシーケンスＩＤとは、デジタル放送ストリームより取得したすべてのタイムスタンプをもとに時間的な不連続が発生した時刻Ｔａを判定し、この時刻Ｔａを境に全体の録画時間を区分したそれぞれの時間連続領域３１、３２に対してユニークにかつ昇順に与えられるＩＤである。
【００４３】
このようなタイムスタンプ変換テーブル３０によって、デジタル放送ストリームの時間的不連続が発生して時間的に重複するストリーム部分が記録されても、それらの時間的に重複するデジタル放送ストリームはタイムシーケンスＩＤによって差別化することができる。
【００４４】
デジタル放送ストリームの記録媒体への録画完了とほぼ同時に、そのデジタル放送ストリームに対応した特徴点テーブル２２とタイムスタンプ変換テーブル３０が完成する。
【００４５】
以上のようにして特徴点テーブル２２とタイムスタンプ変換テーブル３０の作成が完了した後、特徴点テーブル２２に登録されている特徴点の時刻情報を、タイムスタンプ変換テーブル３０を参照して、記録媒体に記録されているデジタル放送ストリーム上の時間軸における時刻に変換する。
【００４６】
この変換は次のようにして行われる。まず、ＣＰＵ１９は特徴点テーブル２２の先頭から特徴点の時刻情報を読み出す。特徴点テーブル２２に登録されている特徴点の時刻情報と、タイムスタンプ変換テーブル３０の各列のデータとは互いに同一の時刻軸を有している。すなわち、タイムスタンプ変換テーブル３０へのタイムスタンプの登録がＮ［ｓｅｃ］置きに行われるものとし、特徴点の時刻情報が示す時刻が特徴点の検出開始から２Ｎ［ｓｅｃ］後の時刻であったなら、その特徴点の時刻は、タイムシーケンスＩＤが"Timeseq_id#n+3"の連続時間領域に属するタイムスタンプの値"TimeStamp#3 "に置き換えられる。また、特徴点の時刻情報が示す時刻が特徴点の検出開始から２．５Ｎ［ｓｅｃ］の位置である場合には、その特徴点の時刻は、タイムシーケンスＩＤが"Timeseq_id#n+3"の連続時間領域に属するタイムスタンプの値"TimeStamp#3 "と、タイムシーケンスＩＤが"Timeseq_id#n+4"の連続時間領域に属するタイムスタンプの値"TimeStamp#4 "との中間のタイムスタンプの値に置き換えられる。
【００４７】
このような変換を特徴点テーブル２２に登録されているすべての特徴点の時刻情報について繰り返すことによって、図４に示すように、すべての特徴点の時刻情報を記録媒体に記録されたデジタル放送ストリーム上の時間軸に置き換えた特徴点テーブル２３を作成することができる。
【００４８】
このようにして、すべての特徴点の時刻情報を記録媒体に記録されたデジタル放送ストリーム上の時刻に置き換えた特徴点テーブル２３は、デジタル放送ストリームをダイレクト記録した記録媒体に記録され、この後、タイムスタンプ変換テーブル３０はＲＡＭ１８内から削除される。
【００４９】
次に、記録媒体に記録されている特徴点テーブル２３を用いてデジタル放送ストリームの特徴的なシーンへのジャンプ再生を行う場合の動作を説明する。
【００５０】
ＣＰＵ１９は、まず、記録媒体からデジタル放送ストリームを読み出し、バスを通じて再生系のデマルチプレクサ４へ出力される。デマルチプレクサ４は、入力されたデジタル放送ストリームをビデオデジタル放送ストリームとオーディオデジタル放送ストリームとに分離し、それぞれのストリームを再生系のビデオデコーダ５と再生系のオーディオデコーダ６にてそれぞれ復号し、復号したビデオ信号およびオーディオ信号をそれぞれディスプレイ７とスピーカ８に出力する。これにより、ビデオ信号とオーディオ信号のそれぞれの再生が行われる。
【００５１】
このデジタル放送ストリームの再生中に、たとえば操作部１３を操作してジャンプボタンが一回押される度にＣＰＵ１９は、記録媒体にデジタル放送ストリームとともに記録されている特徴点テーブル２３の特徴点の時刻情報を先頭のものより順番に読み出し、この特徴点の時刻情報に基づいて、記録媒体に記録されているデジタル放送ストリームの該当する部分を読み出して、再生系のデマルチプレクサ４へ出力するように制御を行う。
【００５２】
また、この際、ユーザは操作部１３を操作して特徴点の分類を選択することによって、ＣＰＵ１９は、この選択された特徴点の分類に合致する特徴点の時刻情報を選択的に読み出して、デジタル放送ストリーム上の該当する部分を記録媒体から読み出し、再生するように制御を行うことが可能である。
【００５３】
デジタル放送ストリームおよび時間軸を修正後の特徴点テーブル２３を、光学ディスク２１のようにドライブ装置に対して着脱自在な記録媒体に記録すれば、この記録媒体を通じて、別の放送受信録画装置へデジタル放送ストリームと時間軸を修正後の特徴点テーブル２３を伝送することが可能である。この場合、その放送受信録画装置にて改めて特徴点テーブル２２を作成しなくても、デジタル放送ストリームの特徴的なシーンへのジャンプ再生を行うことができる。
【００５４】
以上のように本実施形態の放送受信録画装置１００によれば、特徴点検出器１２によって検出された特徴的なシーンの時刻を、記録媒体にダイレクト記録されたデジタル放送ストリーム上の時間軸に正しく変換することができる。また、デジタル放送ストリームのタイムスタンプの時間不連続が発生しても、特徴点検出器１２によって検出された特徴的なシーンの時刻を、記録媒体にダイレクト記録されたデジタル放送ストリーム上の一の時刻に一意に特定することができる。
【００５５】
以上、本発明に係る実施形態を説明したが、本発明は、上述の実施形態にのみ限定されるものではなく、本発明の要旨を逸脱しない範囲内において種々変更を加え得ることは勿論である。
【図面の簡単な説明】
【００５６】
【図１】図１は本発明の実施形態に係る放送受信録画装置の構成を示すブロック図である。
【図２】特徴点テーブルを示す図である。
【図３】タイムスタンプ変換テーブルとその作成に関する説明図である。
【図４】タイムスタンプ変換テーブルを用いて特徴点の時刻をデジタル放送ストリーム上の時間軸に置き換えた特徴点テーブルの例を示す図である。
【図５】デジタル放送ストリームのタイムスタンプの時間不連続を示す図である。
【符号の説明】
【００５７】
１      チューナ
２      復調器
３      アンテナ
４      再生系のデマルチプレクサ
５      再生系のビデオデコーダ
６      再生系のオーディオデコーダ
７      ディスプレイ
８      スピーカ
９      特徴点検出系のデマルチプレクサ
１０      特徴点検出系のビデオデコーダ
１１      特徴点検出系のオーディオデコーダ
１２      特徴点検出器
１３      操作部
１４      ＨＤＤ
１５      光学ドライブ
１６      フラッシュメモリ
１７      ＲＯＭ
１８      ＲＡＭ
１９      ＣＰＵ
２０      バス
２１      光学ディスク
２２      特徴点テーブル
２３      変換後の特徴点テーブル
３０      タイムスタンプ変換テーブル
１００      放送受信録画装置
【図１】
0004661469.tif 000002
【図２】
0004661469.tif 000003
【図３】
0004661469.tif 000004
【図４】
0004661469.tif 000005
【図５】
0004661469.tif 000006